(57)【要約】  【課題】      従来の酸化触媒の酸化効率の劣化の判定に必要とした試験専用の２種類の試験用ガスの前準備および試験時の各試験用ガスのつなぎ換えなどの煩雑な前準備、測定、判定法を改善し、試験工数・試験費用を低減する。  【解決手段】  燃焼部２１を切替弁２２、切替弁２５および、燃焼炉３Ｎと燃焼炉３Ｎ内の新規触媒を充填したＡ触媒槽２３、Ｂ触媒槽２４で構成し、切替弁２２、切替弁２５の操作により最初にＡ触媒槽２３側の流路を開きＡ触媒槽２３を使用して測定を行い、あらかじめ定めた使用時間後にＢ触媒槽２４に切り替えて同一試料により短時間の試験測定を行い、Ａ触媒槽２３を使用した場合の測定値と規定の差が認められた場合は酸化触媒の劣化と判定し、使用者に交換を促すかＢ触媒槽２４を使用する測定に切り替える処理を行う。【選択図】          図１
2007256028.tif 000002
【特許請求の範囲】
【請求項１】
流体試料の流路に配設された触媒処理用の触媒槽と、その下流に配設された検出器部を備え触媒槽で流体試料を化学的に反応させ反応した試料を検出器で光学的に分析する分析装置において、流路を複数個並設してそれぞれの流路に触媒槽を配設するとともに、１の触媒槽のみを検出器側流路に配設して常時使用し、触媒槽の触媒効率の劣化度の判定試験時に他の触媒槽を常時使用中の触媒槽と切り替えて検出器側流路に配設する切り替え手段を設けたことを特徴とする分析装置。
【発明の詳細な説明】
【技術分野】
【０００１】
本発明は分析計測分野において使用される、揮発性有機炭素分析計などの触媒式分析計に関する。
【背景技術】
【０００２】
以下、検出器としてＮＤＩＲ（非分散赤外分析計）を用いた触媒酸化方式の揮発性有機炭素分析計（以下、揮発性有機炭素をＶＯＣ、揮発性有機炭素分析計をＶＯＣ計と記載する）を例として従来の触媒酸化式分析計の技術を説明する（たとえば特許文献１、非特許文献１参照）。この方式のＶＯＣ計は、最初に試料ガス（以下、試料と略記する）を高温に加熱された酸化物触媒中を通過させ、試料中の揮発性有機炭素（以下、ＶＯＣと略記する）の全量を二酸化炭素（以下、ＣＯ２と記載する）に変換し、生じたＣＯ２濃度をＮＤＩＲにより検出し、ＶＯＣ濃度に換算して出力としている。ＮＤＩＲはＣＯ２に光源から赤外線を照射し、ＣＯ２固有の波長の赤外線吸収量を測定する検出方法である。この方法により、ＶＯＣの高感度の連続測定が行われる。
【０００３】
図２によって基本的なＶＯＣ計の構成と作動を説明する。１は試料導入口で、試料はここからＶＯＣ計に導入され、ポンプ６の吸引力により図の右方に流れる。切替弁２は試料導入口１からの流路を流路Ａ方向または流路Ｂ方向の何れかに切り替える。切替弁２から流路Ａのポンプ６、および流路Ｂのポンプ８に到る部分は試料前処理部Ｐを構成する。
【０００４】
切替弁２の流路Ａ側の下流には、たとえば白金系などの酸化物触媒を封入した触媒槽を内蔵（図示せず）した燃焼炉３があり、測定時は燃焼炉３は規定の温度に加熱され、試料中のＶＯＣは高温に加熱された触媒槽を通過する際にＣＯ２に変換される。このとき試料によっては燃焼炉３内で測定に影響を及ぼす塩化水素・フッ化水素が生成するが、これらの成分はハロゲンスクラバ４で除去される。気液分離器５は冷却器を内蔵し、試料中の水分を除去する。ポンプ６を通過した試料はＮＤＩＲ９内のセル９Ｂ（検出器を含む、以下同様）に導入される。セル９Ｂ内の試料にはＩＲ光源９Ａからの赤外（ＩＲ）光が照射され、ＣＯ２固有の波長で生じる赤外線吸収量が測定される。切替弁２が流路Ｂ側に切り替えられているときには試料は燃焼炉３による変化を受けることなく、気液分離器７およびポンプ８を通過してＮＤＩＲ９内のセル９Ｂに導入される。
【０００５】
測定時は切替弁２の切り替えにより、試料をまず流路Ｂを経由してＮＤＩＲ９に導き、測定値を演算部１０に記憶する。この工程により、試料中に最初から含まれているＣＯ２が測定・記憶される。この測定値をバックグラウンド値とする。次に試料を流路Ａを経由してＮＤＩＲ９に導き、測定値を演算部１０に記憶する。この測定値をトータル値とする。さらに演算部１０において、トータル値からのバックグラウンド値の差し引き、差し引き後の測定値のＶＯＣ濃度への換算を行うことにより、試料中のＶＯＣ濃度に対応した出力が得られる。この出力は記録計１１に表示・記録される。なお、切替弁２の周期的な自動切り替え（チョッピング）を行い、演算部１０内で切替弁２の自動切り替えに同期した信号処理を行って、トータル値からのバックグラウンド値の差し引きを常時自動的に行い連続的に出力することも可能である。
【０００６】
【特許文献１】特開平８−３３８８３５公報
【非特許文献１】揮発性有機化合物濃度の測定法に関する環境省告示第６１号（平成１７年６月１０日）の別表第１の別紙
【発明の開示】
【発明が解決しようとする課題】
【０００７】
従来の触媒酸化式ガス分析計の構造は以上のとおりであるが、この構造では酸化触媒の劣化度の試験方法が煩雑で試験工数・試験費用が増大する。すなわち、酸化触媒の酸化効率が低下するとＶＯＣの成分によって酸化効率が異なる値を示すようになり混合成分の正確な測定ができなくなるため酸化効率は９５％以上が必要と規定（下記参考文献参照）されているが、この酸化効率は試料に含まれるたとえばシリコンなどの成分によって顕著に劣化するので、使用期間中には劣化（酸化効率の低下）を繰り返し試験することが必要である。
【０００８】
従来の酸化効率の試験方法の１例は図３に示すごとく、燃焼炉３とハロゲンスクラバ４の中間に試験のための切替弁Ｃを設けておき、最初に外方から切替弁Ｃに二酸化炭素試験用ガスを供給してＮＤＩＲ９の出力を測定し、次に試料導入口１にメタン試験用ガスを供給してＮＤＩＲ９の出力を測定し、各試験用ガスの既知の濃度と両出力の大きさから酸化効率を算出する方法であった。したがって酸化効率の判定のためには事前に特別に試験用以外には使用しない２種類の試験用ガスを準備し、試験の都度２種類の試験用ガスのつなぎ換えをして測定を行う必要があり、煩雑な前準備、測定、判定に多くの試験工数・試験費用を要していた。（参考資料：環境省環境管理局大気環境課策定資料：（１）［「揮発性有機化合物濃度の測定法」における「分析計の性能試験方法の策定」について］、および（２）同資料の別添資料［ＶＯＣ分析計性能試験方法］）
【０００９】
従来の劣化試験の他の簡易的方法として、たとえば装置の毎日点検に使用する既知濃度の点検用プロパンガスにより感度チェックを行い劣化度を推測する方法があるが、この方法は酸化触媒の劣化以外にも分析装置を構成する他の要素の特性変化や、環境温度や気圧などの周囲環境の変化が影響するので、酸化触媒のみの劣化試験としては不十分である。したがって精度の高い酸化触媒の劣化試験方法としては前記の２種類の試験用ガスを使用した試験が必要であり、前記のように煩雑な前準備、測定、判定に多くの試験工数・試験費用を要していた。本発明はこのような問題点を解決する手段を提供することを目的とする。
【課題を解決するための手段】
【００１０】
本発明は、上記課題を解決するために、流体試料の流路に配設された触媒処理用の触媒槽と、その下流に配設された検出器部を備え触媒槽で流体試料を化学的に反応させ反応した試料を検出器で光学的に分析する分析装置において、流路を複数個並設してそれぞれの流路に触媒槽を配設するとともに、１の触媒槽のみを検出器側流路に配設して常時使用し、触媒槽の触媒効率の劣化度の判定試験時に他の触媒槽を常時使用中の触媒槽と切り替えて検出器側流路に配設する切り替え手段を設ける。
【発明の効果】
【００１１】
本発明によれば、複数系列の触媒槽の内、常時使用中の触媒槽を使用していない触媒層と切り替え比較することにより、特別な試験用ガスを準備することなく、毎日点検に使用する既知濃度の点検用プロパンガスなどを使用して迅速に使用中の触媒槽の劣化を精度良く検出することが可能になるので、従来、前準備、測定、判定に要していた多くの試験工数・試験費用の低減が達成される。
【発明を実施するための最良の形態】
【００１２】
本発明が提供する分析装置の特徴は、流体試料の流路に配設された触媒処理用の触媒槽と、その下流に配設された検出器部を備え触媒槽で流体試料を化学的に反応させ反応した試料を検出器で光学的に分析する分析装置において、流路を並設してそれぞれの流路に触媒槽を配設するとともに、１方の触媒槽のみを流路に配設して常時使用し、触媒槽の触媒効率の劣化度の判定試験時に他の触媒槽を常時使用中の触媒槽と切り替えて流路に配設する切り替え手段を設けるように構成された点であり、この特徴を備えた形態が最良の形態である。
【実施例】
【００１３】
以下図示例にしたがって説明する。図１（Ａ）は本発明の実施例の構成を示す図、図１（Ｂ）は図１（Ａ）の燃焼部２１の詳細構成を示す図である。図１において図２と同一符号の部品の構造および作動は図２と同一である。図１（Ａ）において試料導入口１から導入された試料は切替弁２により流路Ａ方向または流路Ｂ方向の何れかに切り替えられる。たとえば切替弁２が流路Ａ側に切り替えられている場合には、試料はポンプ６で吸引されて高温に加熱された酸化物触媒を封入した燃焼部２１に導かれ、試料中のＶＯＣは燃焼部２１を通過する際にＣＯ２に変換される。ポンプ６を通過した試料はＮＤＩＲ９に導入され、ＣＯ２固有の波長で生じる赤外線吸収量が測定される。切替弁２が流路Ｂ側に切り替えられているときには試料は燃焼部２１による変化を受けることなく、気液分離器７およびポンプ８を通過してＮＤＩＲ９に導入される。
【００１４】
測定時は切替弁２の切り替えにより、試料をまず流路Ｂを経由してＮＤＩＲ９に導き、測定値を演算部１０に記憶する。この手順により、試料中に最初から含まれているＣＯ２が測定・記憶される。この測定値をバックグラウンド値とする。次に試料を流路Ａを経由してＮＤＩＲ９に導き、測定値を演算部１０に記憶する。この測定値をトータル値とする。さらに演算部１０において、トータル値からのバックグラウンド値の差し引き、差し引き後の測定値のＶＯＣ濃度への換算を行うことにより、試料中のＶＯＣ濃度に対応した出力が得られる。この出力は記録計１１に表示・記録される。
【００１５】
図１（Ｂ）は燃焼部２１の構成を示している。燃焼部２１は切替弁２２、切替弁２５および、燃焼炉３Ｎと燃焼炉３Ｎ内のＡ触媒槽２３、Ｂ触媒槽２４から構成されている。測定にあたっては最初にＡ触媒槽２３、Ｂ触媒槽２４に新規の酸化触媒を充填し、切替弁２２、切替弁２５の操作によりたとえばＡ触媒槽２３側の流路を切替弁２およびハロゲンスクラバ４に向かって開き、Ｂ触媒槽２４側の流路は閉止し、Ａ触媒槽２３を使用して通常の測定を行う。
【００１６】
あらかじめ定めた使用時間、たとえば１００時間毎にＡ触媒槽２３側を閉止し、Ｂ触媒槽２４側を開き、Ｂ触媒槽２４を使用して同一試料、たとえば点検用プロパンガスにより短時間の試験測定を行い、Ａ触媒槽２３を使用した場合の測定値と比較する。両者にたとえば５％に近い差が認められた場合は試験測定の頻度を増加し、５％の差が認められた時点でＡ触媒槽２３の酸化触媒は劣化したと判定し、Ａ触媒槽２３を別の新規な触媒槽と交換するよう使用者に促す。この試験方法により、特別な試験用ガスを準備することなく、酸化触媒の劣化を試験することができる。試験にあたっては触媒槽以外の要素および流路は同一であるから、試験結果は分析装置の他の要素および周囲環境の変化などには影響されない。また、Ｂ触媒槽２４をＡ触媒槽２３が劣化した時の緊急用に予備触媒として使用しても良いが、劣化しても判別できないのでＡ触媒槽２３とＢ触媒槽２４は同時に新品と交換することが必要になる。
【００１７】
本発明は上記の実施例に限定されるものではなく、さらに種々の変形実施例を挙げることができる。たとえば図１（Ｂ）において、燃焼部２１内に設置する触媒槽の数は３個以上であっても良い。また燃焼炉３Ｎは各触媒槽毎に設けても良い。検出器の方式もＮＤＩＲに限定されるものではない。また規定時間毎に酸化触媒の劣化試験の必要性を分析装置に表示したり、切替弁２２、切替弁２５の操作を自動化してＡ触媒槽２３、Ｂ触媒槽２４の流路変更および試験を自動的に実施させ、結果を分析装置に表示させても良い。さらに上記実施例はガス状のＶＯＣについて説明したが、本発明は液状試料に対しても適用できる。本発明はこれらをすべて包含する。
【産業上の利用可能性】
【００１８】
本発明は分析計測分野において使用される揮発性有機炭素分析計などの触媒式分析計に適用することができる。
【図面の簡単な説明】
【００１９】
【図１】（Ａ）は本発明の実施例の構成を示す図であり、（Ｂ）は本発明の実施例の燃焼部の詳細構成を示す図である。
【図２】従来の分析装置の構成を示す図である。
【図３】従来の分析装置の酸化触媒の劣化度の試験方法の１例を示す図である。
【符号の説明】
【００２０】
１  試料導入口
２  切替弁
３  燃焼炉
３Ｎ  燃焼炉
４  ハロゲンスクラバ
５  気液分離器
６  ポンプ
７  気液分離器
８  ポンプ
９  ＮＤＩＲ
９Ａ  ＩＲ光源
９Ｂ  セル
１０  演算部
１１  記録計
２１  燃焼部
２２  切替弁
２３  Ａ触媒槽
２４  Ｂ触媒槽
２５切替弁
Ｃ  切替弁
Ｐ  試料前処理部
【図１】
2007256028.tif 000003
【図２】
2007256028.tif 000004
【図３】
2007256028.tif 000005